(57)【要約】【課題】本発明は、ドリル加工やルータ加工等による穴あけの加工工程によって生じるケバやスミヤを低減できるプリント配線基板及びその製造方法を提供することを目的とする。【解決手段】本発明のプリント配線基板（２１）は、コア材として有機繊維の不織布樹脂（１）から形成され、当該コア材のいずれか一方、又は、両方の表面に金属層（２）を設け、パターン加工して所定の配線回路（４）が形成された内層基板（３）と、熱硬化性を有する樹脂付き金属箔（７）と、前記内層基板の最外層に前記樹脂付き金属箔を重ねると共に加熱加圧形成し、前記樹脂付き金属箔の樹脂層を介して前記内層基板の表面に樹脂付き金属箔を積層し、前記金属箔をパターン加工して所定の配線回路（８）を形成したことを特徴とする。【選択図】  図５
2004356447.tif 000002
【特許請求の範囲】
【請求項１】
コア材として有機繊維の不織布樹脂から形成され、当該コア材のいずれか一方、又は、両方の表面に金属層を設け、パターン加工して所定の配線回路が形成された内層基板と、熱硬化性を有する樹脂付き金属箔と、前記内層基板の最外層に前記樹脂付き金属箔を重ねると共に加熱加圧形成し、前記樹脂付き金属箔の樹脂層を介して前記内層基板の表面に樹脂付き金属箔を積層し、前記金属箔をパターン加工して所定の配線回路を形成したことを特徴とするプリント配線基板。
【請求項２】
前記有機繊維の不織布は、アラミド繊維で組成されたことを特徴とする特許請求１記載のプリント配線基板。
【請求項３】
前記樹脂は、エポキシ樹脂で組成されたことを特徴とする特許請求２記載のプリント配線基板。
【請求項４】
前記内層基板上に前記樹脂付き金属箔が積層された後、当該金属箔上にビアや貫通スルーホールの何れか一方が設けたことを特徴とする特許請求３記載のプリント配線基板。
【請求項５】
少なくとも２つの内層基板の間に、有機繊維の不織布樹脂から形成されたプリプレグを重ねると共に加熱加圧形成し、積層することにより、当該内層基板を多層化することを特徴とする特許請求４記載のプリント配線基板。
【請求項６】
内層基板のコア材としてアラミド不織布エポキシ樹脂から形成され、当該コア材のいずれか一方、又は、両方の表面に金属層を設け、パターン加工して所定の配線回路を形成するステップと、前記内層基板の最外層にエポキシ樹脂付き銅箔を重ねると共に加熱加圧形成し、前記樹脂付き金属箔のエポキシ樹脂層を介して前記内層基板の表面にエポキシ樹脂付き銅箔を積層するステップと、前記金属箔をパターン加工して所定の配線回路を形成するステップを具備することを特徴とするプリント配線基板の製造方法。
【請求項７】
前記内層基板上に前記エポキシ樹脂付き銅箔が積層された後、当該銅箔上にビアや貫通スルーホールの何れか一方を形成するステップとを具備することを特徴とする特許請求６記載のプリント配線基板の製造方法。
【請求項８】
少なくとも２つの内層基板の間に、有機繊維の不織布樹脂から形成されたプリプレグを重ねると共に加熱加圧形成し、積層するステップを有し、当該内層基板を多層化することを特徴とする特許請求７記載のプリント配線基板の製造方法。
【発明の詳細な説明】
【０００１】
【発明の属する技術分野】
本発明は、プリント配線基板及びその製造方法に係わり、特に、樹脂付き金属箔を用いて製造された多層プリント配線基板及びその製造方法に関する。
【０００２】
【従来の技術】
近年、電子機器の小型化、薄型化、軽量化、高機能化が進展する中で、ノートブック型ＰＣ、携帯電話やデジタルカメラ等の電子機器を構成する各種電子部品と共に、これら電子部品が実装されるプリント配線基板においても高密度実装を可能とする様々な技術が開発されている。
【０００３】
特に、最近は、急速な実装技術の進展で、ＬＳＩ等の半導体チップを高密度に実装できると同時に高速回路にも対応できる多層プリント配線基板が安価に供給されることが強く要望されている。このようなプリント配線基板では、微細な配線ピッチで形成された複数層の配線パターン間の高い電気的接続信頼性や優れた高周波特性を備えていることが重要である。
【０００４】
このような実装技術を達成するための１つの手法として、ビルドアップ法が知られている。この方法は、例えば、銅箔のエッチング等の手段により回路配線が形成された両面銅張ガラス織布エポキシ樹脂基板の表面に、感光性樹脂を塗布して、露光現像してビアホールを具備する絶縁層を形成した後、その表面に無電解銅めっきを施して、これをレジスト塗布、エッチング、レジスト除去によりビアホール導体および配線回路層を形成する。そして、上記の感光性樹脂による絶縁層の形成と、ビアホール導体および配線回路層の形成を繰り返すことにより、微細化、多層化する。その後、ドリルやルータ等によりスルーホールを形成して、当該スルーホール内にめっき層を形成して層間の配線回路層を接続するようにしたものである。この時に用いられる両面銅張ガラス織布エポキシ樹脂基板としては、ガラス織布内にエポキシ樹脂を含浸させたものが最も一般的に使用されている。また、他のビルドアップ法として、熱硬化性樹脂や導電ペーストを用いる方法が知られている。
【０００５】
一方、プリント配線基板の絶縁基板としては、アラミド樹脂からなる不織布にエポキシ樹脂を含浸した基板も提案されている。このアラミド不織布を使用すると、ガラスエポキシ樹脂基板のように、ガラス織布等を使用した場合に比較して、レーザ加工による穴あけを行い易いことが特徴である。即ち、従来のガラス織布では穴あけ加工はドリルやルータによって行われていたが、ドリルやルータを用いた穴あけ加工法自体、微細な穴の形成が難しく、配線の高密度化には適していない。これに対して、アラミド不織布を用いるとレーザ加工が容易になり、微細な穴を高速に開けることが可能となった。そこで、アラミド不織布エポキシ樹脂を含有する材料からなる絶縁基板上に多数の半導体素子を搭載したマルチチップモジュール等への適用を検討されている（例えば、特許文献１参照）。
【０００６】
【特許文献１】
特開平１１−５４９３８号公報（第２頁）
【０００７】
【発明が解決しようとする課題】
上記した従来技術のアラミド不織布エポキシ樹脂を用いた絶縁基板は、従来のガラス織布エポキシ樹脂に比べて、レーザ加工による微細な穴あけ加工工程は容易であるが、当該工程でドリル加工やルータ加工で形成された貫通スルーホールの周面には、溶融した樹脂（以下、スミヤと呼ぶ。）やケバが多く発生する。その結果、絶縁基板上の銅箔めっき性の低下やマルチチップモジュール等の部品を当該基板に搭載する際、スミヤやケバにより引っかかりが発生して部品搭載性の悪化という問題があった。
【０００８】
そこで、本発明は上記の問題を解決するためになされたものであり、レーザ加工による微細な穴あけ加工工程が容易であるという不織布樹脂を用いた絶縁基板の特徴を活かし、ドリル加工やルータ加工等による穴あけの加工工程によって生じるスミヤやケバを低減できるプリント配線基板及びその製造方法を提供することを目的とする。
【０００９】
【課題を解決するための手段】
本発明のプリント配線基板は、コア材として有機繊維の不織布樹脂から形成され、当該コア材のいずれか一方、又は、両方の表面に金属層を設け、パターン加工して所定の配線回路が形成された内層基板と、熱硬化性を有する樹脂付き金属箔と、前記内層基板の最外層に前記樹脂付き金属箔を重ねると共に加熱加圧形成し、前記樹脂付き金属箔の樹脂層を介して前記内層基板の表面に樹脂付き金属箔を積層し、前記金属箔をパターン加工して所定の配線回路を形成したことを特徴とする。
【００１０】
また、本発明のプリント配線基板の製造方法は、内層基板のコア材としてアラミド不織布エポキシ樹脂から形成され、当該コア材のいずれか一方、又は、両方の表面に金属層を設け、パターン加工して所定の配線回路を形成するステップと、前記内層基板の最外層にエポキシ樹脂付き銅箔を重ねると共に加熱加圧形成し、前記樹脂付き金属箔のエポキシ樹脂層を介して前記内層基板の表面にエポキシ樹脂付き銅箔を積層するステップと、前記金属箔をパターン加工して所定の配線回路を形成するステップを具備することを特徴とする。
【００１１】
このような構成によれば、ドリル加工やルータ加工等による穴あけの加工工程によって生じるスミヤやケバを低減できる。
【００１２】
【発明の実施の形態】
以下、図面を参照してこの発明の一実施形態を説明する。
【００１３】
図１は、電子機器としてのノート型ポータブルコンピュータ１１を示している。このコンピュータ１１は、コンピュータ本体１２と、この本体１２に支持されたディスプレイユニット１３とを備えている。
【００１４】
コンピュータ本体１２は、偏平な箱状の筐体１５を備えている。筐体１５は例えばマグネシューム或は合成樹脂の射出成形品である。この筐体１５の上壁１５ａは、パームレスト１６、キーボード取付け部１７、及びディスプレイ支持部１８を有している。パームレスト１６は筐体１５の前半部を占めて設けられ、この後方にキーボード取付け部１７が配置されている。この取付け部１７にキーボード１９が設置されている。ディスプレイ支持部１８は筐体１５の後端部に上向きに設けられている。
【００１５】
図示しない液晶表示パネルを有したディスプレイユニット１３は、図示しないヒンジ装置を介して筐体１５のキーボード１９の後方において筐体１５に連結されている。このディスプレイユニット１３は、パームレスト１６及びキーボード１９を上方から被うように倒される閉じ位置と、パームレスト１６及びキーボード１９を露出させるように起立される開き位置とに亘って回動可能である。
【００１６】
筐体１５の内部にはプリント配線基板２１が収容されている。このプリント配線基板２１は、筐体１５の底壁１５ｂに一体に突設された複数のボス２２の上面間にわたって設けられ、かつ、各ボス２２に螺合するねじ２３によって取付けられている。筐体１５の内部には、プリント配線基板２１よりも前側に位置して空冷ファン２５が収容されている。ファン２５の吐出し口２５ａからは、筐体１５の底壁１５ｂ及びパームレスト１６に夫々開口された複数の空気取入口２６、２７から吸込んだ空気が、プリント配線基板２１に向けて吐出され、それよりプリント配線基板２１が冷却されるようになっている。
【００１７】
図２乃至図５は、本発明の一実施の形態を示すものであり、以下の通りに説明する。
【００１８】
図２に示される内層基板３のコア材は、芳香族ポリアミド樹脂により合成されたアラミド不織布エポキシ樹脂積層板１であり、当該内層基板３はアラミド不織布エポキシ樹脂積層板１の表面の全面に銅張の金属層２を設けて形成されている。例えば、内層基板３は、新神戸電機株式会社の品番：ＣＥＬ−５４１である。内層基板３の板厚は、約５０〜２００ミクロン程度である。図２（Ａ）の一実施形態の内層基板３は、アラミド不織布エポキシ樹脂積層板１の両面に金属箔の積層やめっきによって銅などの金属層２を設けて形成したものを２枚用いている。ここでの銅箔の厚さは、約１２〜３５ミクロン程度である。更に、アラミド不織布（繊維）の表面の粗さは、約１．０ミクロン〜１．５ミクロン程度である。
【００１９】
次に、図２（Ｂ）に示される通り、内層基板３の表面の金属層２をパターンニング加工し、配線回路４を形成する。パターンニング加工（図示せず）は、金属層２の表面へのエッチングレジストの塗布、露光、現像、エッチングの通常の手順で行なうことができる。次いで、内層基板３の表面処理を行なう。
【００２０】
内層基板３の表面に配線回路４を形成した後、２枚の内層基板３の間にプリプレグ１０を挟むと共に各内層基板３の外側の表面にエポキシ樹脂付き金属箔７を樹脂層６の側で重ね、これを加熱加圧成形する。プリレグ１０としては、例えば、アラミド不織布にエポキシ樹脂等の熱硬化性樹脂ワニスを含浸して加熱乾燥することによってＢステージ状態にしたものを用いることができる。より具体的には、新神戸電機株式会社の品番：ＥＡ−５４１等である。プリプレグの板厚は、約３５〜１００ミクロン程度である。
【００２１】
図３（Ａ）に示される通り、表面に配線回路４を形成された２枚の内層基板３の間にプリプレグ１０を挟み、各内層基板３の外側の表面にエポキシ樹脂付き銅箔７を樹脂層６の側で重ねて加熱加圧成形することにより、プリプレグ１０の樹脂が溶融・硬化した層で２枚の内層基板３を積層することができる。これと共に樹脂付き金属箔７の樹脂層６が溶融・硬化した層を介して内層基板３の表面に銅箔７を積層することができる。ここでのエポキシ樹脂付き金属箔７は、銅箔等の金属箔５の片面にエポキシ樹脂などの熱硬化性樹脂を塗布して半硬化状態にした樹脂層６を設けて形成されたものである。
【００２２】
その後、外層のエポキシ樹脂付き金属箔７に配線回路８、ブラインドビアホール４１や貫通スルーホール４２の加工を行なう。この加工の方法や手順は、先ず、エポキシ樹脂付き金属箔７の銅箔５に図３（Ｂ）のように、ビア径に合わせた径のエッチングを行い開口部４０を形成した後、レーザ光を照射する。これにより、銅箔５がコンフォーマルマスクとなって、銅箔５の開口部４０を設けた箇所にエポキシ樹脂付き金属箔７の樹脂層６に図４（Ａ）のようにブラインドビアホール４１を形成する。
【００２３】
次に、図４（Ｂ）のようにエポキシ樹脂付き金属箔７と内層基板３を貫通するスルーホール４２をドリルやルータ等で穴あけ加工で設ける。そして、スルーホール４２の内周面を所定のデスミア処理を施す。ここでのデスミア処理とは、例えば、図示しないアルカリ性溶液で処理した後、酸性溶液で処理し、ついで中和処理する工程を有する。
【００２４】
デスミア処理を施した後、パネルめっき法により厚さ約０．５ミクロン程度の無電解同めっき薄膜形成後、電解銅めっきを施して、図５（Ａ）の様に、銅箔５の表面、ブラインドビアホール４１の内周やスルーホール４２の内周に、厚さ約２５ミクロン以上のめっき層４３を形成する。そして、エポキシ樹脂付き金属箔７の金属箔５をパターンニング加工し、図５（Ｂ）のように配線回路８を形成する。この後、図示しないソルダーレジストの塗布、金めっきや半田等の表面処理、外形加工などを行なうことによって、ビルドアップ多層配線板として仕上げる。
【００２５】
本発明のプリント配線基板は、内層板のコア材及びプリプレグの材質としてアラミド不織布樹脂を使用し、更に、当該内層板の最外層に樹脂付き金属箔を使用する積層構成にするからこそ、プリント配線基板の軽量化はもとより、表面平滑性をより高めることが出来る。従って、本発明の実施形態のように、プリント配線基板の表面平滑性を高めることにより、ドリル加工やルータ加工等の際に生じるケバやスミヤを大幅に低減することができる。ケバやスミヤを低減することにより、プリント配線基板に対する銅めっき性の低下や部品搭載性の悪化を未然に防止することもできる。
【００２６】
尚、本発明の一実施形態では、プリント配線基板として、２層コア材３の間にプリプレグ１０を使用する構成としたが、４層、又は、６層コア材を使用して積層板を製造することもできる。
【００２７】
更に、本発明の一実施形態では、不織布としてアラミド繊維を使用したが、ポリエステル繊維、ポリイミド、ポリアクリル繊維等の有機繊維の不織布を用いることも出来る。また、本発明の一実施形態では、樹脂としてエポキシ樹脂を使用したが、ポリイミド樹脂等の熱硬化性樹脂であってワニス化したものを使用することもできる。
【００２８】
【発明の効果】
以上説明したように、本発明によれば、レーザ加工による微細な穴あけ加工工程が容易であるという不織布樹脂を用いた絶縁基板の特徴を活かし、ドリル加工やルータ加工等による穴あけ加工工程によって生じるスミヤやケバを低減することができる。
【図面の簡単な説明】
【図１】本発明の一実施形態に係わるプリント配線基板を備えた携帯型電子機器を示す断面図。
【図２】本発明の一実施形態に係わるプリント配線基板の製造工程を示す断面図。
【図３】同実施形態に係わるプリント配線基板の製造工程を示す断面図。
【図４】同実施形態に係わるプリント配線基板の製造工程を示す断面図。
【図５】同実施形態に係わるプリント配線基板の製造工程を示す断面図。
【符号の説明】
１・・・アラミド不織布樹脂積層板、２・・・金属層、３・・・内層基板、
４、８・・・配線回路、６・・・樹脂層、５・・・銅箔、７・・・エポキシ樹脂付き金属箔、
１０・・・プリプレグ、１１・・・ポータブルコンピュータ（電子機器）、
１２・・・コンピュータ本体１２、１３・・・ディスプレイユニット、１５・・・筐体、
１６・・・パームレスト、１７・・・キーボード取付け部、
１８・・・ディスプレイ支持部、１９・・・キーボード、２１・・・プリント配線基板、
２２・・・ボス、２３・・・ねじ、２５・・・ファン２５、２６、２７・・・空気取入口、
４０・・・開口部、４１・・・ブラインドビアホール、４２・・・貫通スルーホール、
４３・・・めっき層
【図１】
2004356447.tif 000003
【図２】
2004356447.tif 000004
【図３】
2004356447.tif 000005
【図４】
2004356447.tif 000006
【図５】
2004356447.tif 000007